(57)【要約】【課題】  地震発生時等において大画面を有したプラズマテレビや液晶テレビ等の薄型テレビの転倒を確実に防止するため、安価且つ専用工具を必要としない薄型テレビ用転倒防止具を得る。【解決手段】  薄型テレビの背面にある壁掛け金具取付けネジ部に、ワイヤを着脱自在に保持することができるワイヤ保持装置を固定又は保持するための金具をボルトにて固定するとともに、当該薄型テレビの後面の壁又は薄型テレビを載せたテレビ台に前記ワイヤの一端部を保持するための固定金具を固定し、前記ワイヤの他端部をワイヤ保持装置に挿着して張架することにより、当該薄型テレビの転倒防止を図る構造とする。【選択図】図１
0003124574.tif 000002
【実用新案登録請求の範囲】
【請求項１】
薄型テレビの背面にある壁掛け金具取付けネジ部に、ワイヤを着脱自在に保持することができるワイヤ保持装置を固定又は保持するための金具をボルトにて固定するとともに、当該薄型テレビの後面の壁又は薄型テレビを載せたテレビ台に前記ワイヤの一端部を保持するための固定金具を固定し、前記ワイヤの他端部をワイヤ保持装置に挿着して張架することにより、当該薄型テレビの転倒防止を図る構造としたことを特徴とする、薄型テレビ用転倒防止具。
【考案の詳細な説明】
【技術分野】
【０００１】  本考案は、地震発生時等において大画面を有したプラズマテレビや液晶テレビ等の薄型テレビの転倒を防止するための、薄型テレビ用転倒防止具に関するものである。
【背景技術】
【０００２】  近年におけるテレビの形状は、テレビ放送のデジタル化やハイビジョン化に伴う高画質高細精化により、ブラウン管テレビから大画面を有したプラズマテレビや液晶テレビ等の薄型テレビに移行しつつある。該薄型テレビの設置方法として、専用取付け台を取付けて畳やフローリング等の上に置いたり、専用スタンドを取付けてローボード等の上に載せている。【０００３】  上記薄型テレビの底面積は、従来のブラウン管テレビの底面積に比べ非常に狭く、専用取付け台や専用スタンドに取付けても重心が高くなるため、転倒し易いという問題点があった。また、地震発生時等における薄型テレビの転倒方向として、視聴者側すなわち前方に転倒することが危惧されるため、非常に危険であるという問題点もあった。このため、地震発生時等において薄型テレビがテレビ台より転倒するのを防止するための転倒防止具として、本願出願人による実用新案登録第３１２０４２８号公報の「薄型テレビ用転倒防止具」において、薄型テレビの背面にある壁掛け金具取付けネジ部にアイボルトを螺着すると共に、該薄型テレビの後面の壁又は当該薄型テレビを載せたテレビ台に半円状の保持体を備えた固定金具を固定し、前記アイボルトと固定金具とを先端側にフックを備えたワイヤにて張架することにより転倒防止を図る転倒防止具を提案し、且つ商品化した。【０００４】
【特許文献１】実用新案登録第３１２０４２８号
【考案の開示】
【考案が解決しようとする課題】
【０００５】  しかしながら、上記アイボルトは構造の割に原価が高く、販売商品の価格上昇の原因になっていた。また、上記フックにワイヤを掛着するための輪部を形成したり、ワイヤの長さ調整を行うためには、オーバルスリーブで行う必要があり、該オーバルスリーブを締着するための専用工具が必要であった。このため、前記専用工具を持たないユーザーは新たに専用工具を購入したり、業者に依頼するなどの必要があり、面倒且つ出費が嵩んでしまうという問題点があった。【０００６】  本考案は、上記問題点を解決するために成されたものであり、地震発生時等において大画面を有したプラズマテレビや液晶テレビ等の薄型テレビの転倒を確実に防止するため、安価且つ専用工具を必要としない薄型テレビ用転倒防止具を提供することを目的とする。
【課題を解決するための手段】
【０００７】  上記課題を解決するため、本考案の薄型テレビ用転倒防止具においては、薄型テレビの背面にある壁掛け金具取付けネジ部に、ワイヤを着脱自在に保持することができるワイヤ保持装置を固定又は保持するための金具をボルトにて固定するとともに、当該薄型テレビの後面の壁又は薄型テレビを載せたテレビ台に前記ワイヤの一端部を保持するための固定金具を固定し、前記ワイヤの他端部をワイヤ保持装置に挿着して張架することにより、当該薄型テレビの転倒防止を図る構造とする。
【考案の効果】
【０００８】  本考案の薄型テレビ用転倒防止具を用いて大画面を有したプラズマテレビや液晶テレビ等の薄型テレビの転倒防止を図るようにすれば、該薄型テレビが壁又はテレビ台とワイヤにより張架されているため、視聴者側すなわち前方への転倒を確実に防止することができるという効果を奏する。また、前記ワイヤの長さ調整手段として、ワイヤを着脱自在に保持することができるワイヤ保持装置及び専用金具を使用するため、オーバルスリーブによる長さ調整が不要となり当該オーバルスリーブを締着するための専用工具や高価なアイボルトが不要になるという効果を奏する。また、ワイヤが着脱自在になることにより、清掃等における移動等も容易に行えるという効果も奏する。
【考案を実施するための最良の形態】
【０００９】  本考案を実施するための最良の形態を図を用いて説明する。【００１０】  図１は本考案の薄型テレビ用転倒防止具の第一実施例の構成図であり、薄型テレビの背面にある壁掛け金具取付けネジ部（図示せず）に、ワイヤ６を着脱自在に保持することができるワイヤ保持装置１０をナット１２，１２にて固定した金具９をボルト１５にて固定する。また、当該薄型テレビの後面の壁１６又は薄型テレビを載せたテレビ台に前記ワイヤ６の一端部を保持するための固定金具１を固定し、前記ワイヤ６の他端部をワイヤ保持装置１０に挿着して張架する。【００１１】  図４は本考案の薄型テレビ用転倒防止具の第二実施例の構成図であり、薄型テレビの背面にある壁掛け金具取付けネジ部（図示せず）に、ワイヤ６を着脱自在に保持することができるワイヤ保持装置１８を保持するための金具１７をボルト１５にて固定する。また、当該薄型テレビの後面の壁１６又は薄型テレビを載せたテレビ台に前記ワイヤ６の一端部を保持するための固定金具１を固定し、前記ワイヤ６の他端部をワイヤ保持装置１８に挿着して張架する。【００１２】  図２は本考案の薄型テレビ用転倒防止具で用いる固定金具の外形図であり、（ａ）は正面図，（ｂ）は側面図である。該図に示すように、上記固定金具１は、菱形状の台座２にワイヤ６の一端部の輪部８を保持するための半円状の保持体４を固着し、更に該台座２を壁１６等に木ネジ５にて固定するためのネジ穴３を穿孔して構成する。【００１３】  また、図３は本考案の薄型テレビ用転倒防止具の第一実施例で用いるワイヤ保持装置及び金具の外形図であり、（ａ）は金具９にワイヤ保持装置１０をナット１２，１２にて固定した状態の平面図，（ｂ）はその側面図，（ｃ）はその正面図，（ｄ）はその背面図である。該図に示すワイヤ保持装置１０は、例えば大阪コートロープ（株）社のスパイダ（商品名）であり、ワイヤ保持装置１０の正面部にはワイヤ６を正面から背面まで貫通して挿入するための挿通穴１３が設けられ、内部のラッチ機構によりワイヤ６を挿入して引っ張っても抜けない構造となっている。該ワイヤ６を外す場合は、（ａ）に示すようにリリースノブ１１を矢印Ａ側に引きながら、ワイヤ６を矢印Ｂ側に引くことにより抜くことができる。【００１４】  また、Ｕ字形状を成した金具９において、ワイヤ保持装置１０を固定した反対面には、薄型テレビの背面にある壁掛け金具取付けネジ部に当該金具９をボルト１５にて固定するための穴１４が穿孔される。該穴１４は、前記薄型テレビの背面にある壁掛け金具取付けネジ部の大きさに応じて、Ｍ４，Ｍ５の場合には小さめの穴１４ａを使い、Ｍ６，Ｍ８の場合には大きめの穴１４ｂを使うように選択でき、僅かに重なり合って穿孔される。【００１５】  また、図５は本考案の薄型テレビ用転倒防止具の第二実施例で用いるワイヤ保持装置の外形図であり、（ａ）は正面図，（ｂ）は側面図である。該図に示すワイヤ保持装置１８は、例えば（株）ニッサチェイン社のリーズロック（商品名）であり、ワイヤ保持装置１８の両側面部にはワイヤ６を一方の側面から他方の側面まで貫通して挿入するための挿通穴２１が設けられ、内部のラッチ機構によりワイヤ６を挿入して引っ張っても抜けない構造���なっている。該挿通穴２１は異なる方向性を有して２つあり、一方の側面の挿通穴２１ａから挿入したワイヤ６を反対側で折り返して他方の側面の挿通穴２１ａに挿入することにより、最初にワイヤ６を挿入した側面と反対側の側面に輪部１９が形成される。該ワイヤ６を外す場合は、リリースノブ２０を矢印Ｃ側に押すことにより抜くことができる。【００１６】  また、図６は本考案の薄型テレビ用転倒防止具の第二実施例で用いる金具の外形図であり、Ｌ字形状を成した金具１７において、一方の面には、薄型テレビの背面にある壁掛け金具取付けネジ部に当該金具１７をボルト１５にて固定するための穴２２ａが穿孔され、他方の面には、上記ワイヤ保持装置１８の挿通穴２１にワイヤ６を挿入して形成された輪部１９を保持するための穴２２ｂが穿孔される。【００１７】  なお、上記何れの実施例においても、ワイヤ６の一端部にはオーバルスリーブ７にて輪部８を形成しておき、固定金具１の保持体４に前記輪部８を保持させておく。
【実施例一】
【００１８】  図７は本考案の薄型テレビ用転倒防止具の第一実施例における壁への固定方法を示した側面図であり、薄型テレビ２３を壁１６に固定する方法を示している。
【００１９】  まず、薄型テレビ２３の背面にある壁掛け金具取付けネジ部（図示せず）に、ワイヤ保持装置１０を固定した金具９をボルト１５にて固定する。次に、輪部８にてワイヤ６の一端部が保持された固定金具１を壁１６に固定する。なお、前記固定金具１の固定位置は、前記金具９より上部側にするのが好ましい。次に、前記ワイヤ６の他端部をワイヤ保持装置１０の挿通穴１３に挿入し、長さ調節を行いながら貼架する。余ったワイヤ６は、当該薄型テレビ２３の電気部分に触れないように適度に切断するのが好ましい。以上により、薄型テレビ２３を壁１６と固定することができ、転倒防止を図ることができる。
【００２０】  また、図８は本考案の薄型テレビ用転倒防止具の第一実施例におけるテレビ台への固定方法を示した側面図であり、薄型テレビ２３をテレビ台２５に固定する方法を示している。
【００２１】  まず、薄型テレビ２３の背面にある壁掛け金具取付けネジ部（図示せず）に、ワイヤ保持装置１０を固定した金具９をボルト１５にて固定する。次に、輪部８にてワイヤ６の一端部が保持された固定金具１をテレビ台２５に固定する。なお、前記固定金具１の固定位置は、できるだけ後部側にするのが好ましい。次に、前記ワイヤ６の他端部をワイヤ保持装置１０の挿通穴１３に挿入し、長さ調節を行いながら貼架する。余ったワイヤ６は、当該薄型テレビ２３の電気部分に触れないように適度に切断するのが好ましい。以上により、薄型テレビ２３をテレビ台２５と固定することができ、転倒防止を図ることができる。
【００２２】  なお、上記何れの固定方法においても、テレビ台２５と専用取付け台２４の底面部との間に粘着力の大きなゲル状粘着マット２６を敷設することにより当該薄型テレビ２３の底部が前後方向に滑ることによる転倒も確実に防止することができる。
【実施例二】
【００２３】  図９は本考案の薄型テレビ用転倒防止具の第二実施例における壁への固定方法を示した側面図であり、薄型テレビ２３を壁１６に固定する方法を示している。
【００２４】  まず、薄型テレビ２３の背面にある壁掛け金具取付けネジ部（図示せず）に、金具１７をボルト１５にて固定する。次に、輪部８にてワイヤ６の一端部が保持された固定金具１を壁１６に固定する。なお、前記固定金具１の固定位置は、前記金具１７より上部側にするのが好ましい。次に、前記ワイヤ６の他端部をワイヤ保持装置１８の一方の側面の挿通穴２１ａより他方の側面の挿通穴２１ｂに挿入して形成した輪部１９を金具１７の穴２２ｂにて保持し、長さ調節を行いながら貼架する。余ったワイヤ６は、当該薄型テレビ２３の電気部分に触れないように適度に切断するのが好ましい。以上により、薄型テレビ２３を壁１６と固定することができ、転倒防止を図ることができる。
【００２５】  また、図１０は本考案の薄型テレビ用転倒防止具の第二実施例におけるテレビ台への固定方法を示した側面図であり、薄型テレビ２３をテレビ台２５に固定する方法を示している。
【００２６】  まず、薄型テレビ２３の背面にある壁掛け金具取付けネジ部（図示せず）に、金具１７をボルト１５にて固定する。次に、輪部８にてワイヤ６の一端部が保持された固定金具１をテレビ台２５に固定する。なお、前記固定金具１の固定位置は、できるだけ後部側にするのが好ましい。次に、前記ワイヤ６の他端部をワイヤ保持装置１８の一方の側面の挿通穴２１ａより他方の側面の挿通穴２１ｂに挿入して形成した輪部１９を金具１７の穴２２ｂにて保持し、長さ調節を行いながら貼架する。余ったワイヤ６は、当該薄型テレビ２３の電気部分に触れないように適度に切断するのが好ましい。以上により、薄型テレビ２３をテレビ台２５と固定することができ、転倒防止を図ることができる。
【００２７】  なお、上記何れの固定方法においても、テレビ台２５と専用取付け台２４の底面部との間に粘着力の大きなゲル状粘着マット２６を敷設することにより当該薄型テレビ２３の底部が前後方向に滑ることによる転倒も確実に防止することができる。
【００２８】  また、図１１は本考案の薄型テレビ用転倒防止具の使用形態を示した図であり、第一実施例におけるテレビ台２５への固定方法を示している。該図において、（ａ）は薄型テレビ２３の背面にある左右２箇所の壁掛け金具取付けネジ部（図示せず）に固定した金具９のワイヤ保持装置１０と、テレビ台２５の背面部に固定した２個の固定金具２７とをワイヤ６にて平行に貼架した状態を示している。また、（ｂ）は薄型テレビ２３の背面にある左右２箇所の壁掛け金具取付けネジ部（図示せず）に固定した金具９のワイヤ保持装置１０と、テレビ台２５の背面部中央に固定した１個の固定金具２７とをワイヤ６にてＶ字状に貼架した状態を示している。前記ワイヤ６の平行貼架又はＶ字状貼架は、壁１６への固定にも選択でき、更に実施例二においても選択できる。転倒防止の確実性は平行貼架が優れているが、薄型テレビ２３の大きさや設置環境により何れの方法であっても構わない。
【００２９】  なお、図１１においてはワイヤ６の一端部を保持する固定金具として、前述の固定金具１に代えて別の固定金具２７を描いたが、テレビ台２５に固定する用途に限っては、該固定金具２７の方が安価となる。図１２は本考案の薄型テレビ用転倒防止具で用いる別の固定金具の外形図であり、（ａ）は正面図，（ｂ）は側面図である。該固定金具２７は略Ｌ字形状を成し、長辺面にワイヤ６の輪部８を保持するための保持穴２８と、テレビ台２５に当該固定金具２７をネジ固定するための固定穴２９が穿孔される。
【００３０】  また、上述の第一実施例ではワイヤ保持装置１０として大阪コートロープ（株）社のスパイダ（商品名）を使用し、第二実施例ではワイヤ保持装置１８として（株）ニッサチェイン社のリーズロック（商品名）を使用したが、同等の構造や機能を有しワイヤ６の長さ調整にオーバルスリーブを使用しないものは、本願の考案の範疇に含むものである。
【図面の簡単な説明】
【００３１】
【図１】本考案の薄型テレビ用転倒防止具の第一実施例の構成図である。
【図２】本考案の薄型テレビ用転倒防止具で用いる固定金具の外形図である。
【図３】本考案の薄型テレビ用転倒防止具の第一実施例で用いるワイヤ保持装置及び金具の外形図である。
【図４】本考案の薄型テレビ用転倒防止具の第二実施例の構成図である。
【図５】本考案の薄型テレビ用転倒防止具の第二実施例で用いるワイヤ保持装置の外形図である。
【図６】本考案の薄型テレビ用転倒防止具の第二実施例で用いる金具の外形図である。
【図７】本考案の薄型テレビ用転倒防止具の第一実施例における壁への固定方法を示した側面図である。
【図８】本考案の薄型テレビ用転倒防止具の第一実施例におけるテレビ台への固定方法を示した側面図である。
【図９】本考案の薄型テレビ用転倒防止具の第二実施例における壁への固定方法を示した側面図である。
【図１０】本考案の薄型テレビ用転倒防止具の第二実施例におけるテレビ台への固定方法を示した側面図である。
【図１１】本考案の薄型テレビ用転倒防止具の使用形態を示した図である。
【図１２】本考案の薄型テレビ用転倒防止具で用いる別の固定金具の外形図である。
【符号の説明】
【００３２】１  固定金具
２  台座
３  ネジ穴
４  保持体
５  木ネジ
６  ワイヤ
７  オーバルスリーブ
８  輪部
９  金具
１０  ワイヤ保持装置
１１  リリースノブ
１２  ナット
１３  挿通穴
１４  穴
１５  ボルト
１６  壁
１７  金具
１８  ワイヤ保持装置
１９  輪部
２０  リリースノブ
２１  挿通穴
２２  穴
２３  薄型テレビ
２４  専用取付け台
２５  テレビ台
２６  ゲル状粘着マット
２７  固定金具
２８  保持穴
２９  固定穴
【図１】
0003124574.tif 000003
【図２】
0003124574.tif 000004
【図３】
0003124574.tif 000005
【図４】
0003124574.tif 000006
【図５】
0003124574.tif 000007
【図６】
0003124574.tif 000008
【図７】
0003124574.tif 000009
【図８】
0003124574.tif 000010
【図９】
0003124574.tif 000011
【図１０】
0003124574.tif 000012
【図１１】
0003124574.tif 000013
【図１２】
0003124574.tif 000014